(57)【要約】【課題】色覚異常者が混同する色を周囲に気兼ねなく見分けることができる色覚補助ツールの提供。【解決手段】見えない又は見え難い色から混同中心色（例えば、混同色中心ＰＴＤ）を設定し、カラーの元画像から画素単位でその混同中心色に対する画素の色の色差に対応したグレースケール階調値を求めてグレースケールを作成し、このグレースケールに基づいてグレースケール画像または同系色のグラデーション画像を作成して表示する。カメラ付き携帯電話を使用して実行すれば、カメラで撮影した画像を変換してグレースケール画像を作成し、ディスプレイ上に表示させることができる。【選択図】        図４
2005346273.tif 000002
【特許請求の範囲】
【請求項１】
色覚異常者の混同し易い色又は混同色中心を混同中心色として設定し、混同度合いを、元画像の各画素の色と混同中心色との色差として、その色差に対応した色覚異常者の判別可能なグレースケール階調値に変換するグレースケール作成手順と、
作成されたグレースケールに基づいてグレースケール画像または同系色のグラデーション画像を作成して表示する表示手順とを含むこと
を特徴とする色覚異常者への色存在の教示方法。
【請求項２】
請求項１に記載した色覚異常者への色存在の教示方法において、グレースケール作成手順では、ＲＧＢ値を利用し、混同中心色としてＲ値，Ｇ値，Ｂ値のいずれかを設定し、その画素の、設定された混同中心色のＲＧＢ値を色差に対応したグレースケール階調値とすることを特徴とする教示方法。
【請求項３】
請求項１に記載した色覚異常者への色存在の教示方法において、グレースケール作成手順では、色度図平面を利用し、混同中心色として混同色中心の定点Ｐ，Ｄ，Ｔのいずれかを設定し、設定された混同中心色から元画像の画素の色までの距離を色差とすることを特徴とする教示方法。
【請求項４】
請求項３に記載した色覚異常者への色存在の教示方法において、グレースケール作成手順では、使用する機器に応じた色度図のＲＧＢの最大表示領域を基準とした階調値のグレースケールを作成することを特徴とする教示方法。
【請求項５】
請求項１から４のいずれかに記載した色覚異常者への色存在の教示方法において、表示手順では、元画像とグレースケール画像またはグラデーション画像とを画素単位で所定のパターンに合成して合成画像として表示することを特徴とする教示方法。
【請求項６】
請求項５に記載した色覚異常者への色存在の教示方法において、色覚正常者にとっての違和感を減少するために、最適化処理が施された合成画像として表示することを特徴とする教示方法。
【請求項７】
請求項６に記載した色覚異常者への色存在の教示方法において、作成されたグレースケールを擬似階調表示技法で２値化し、いずれか一方の値の画素をその画素と同じ位置の元画像の画素と置き換えることにより、最適化処理が施された合成画像として表示することを特徴とする教示方法。
【請求項８】
請求項１から７のいずれかに記載した色覚異常者への色存在の教示方法において、表示手順では、静止画として表示することを特徴とする教示方法。
【請求項９】
請求項１から４のいずれかに記載した色覚異常者への色存在の教示方法において、表示手順では、ディスプレイを利用して、元画像の表示中にグレースケール画像または同系色のグラデーション画像をフラッシュ表示することを特徴とする教示方法。
【請求項１０】
コンピュータに、請求項１から請求項９のいずれかに記載のグレースケール作成手順と表示手順とを実行させるための色覚異常者への色存在の教示プログラム。
【請求項１１】
請求項１０に記載した色覚異常者への色存在の教示プログラムにおいて、コンピュータはカメラ付き携帯端末であり、さらにカメラを用いた撮影により元画像を取得する元画像取得手順を実行させることを特徴とする教示プログラム。
【発明の詳細な説明】
【技術分野】
【０００１】
本発明は、色覚異常者への色覚バリアを低くする方法およびその方法をコンピュータにより実行できるプログラムに関するものである。
【背景技術】
【０００２】
色覚は大きく分けて、二色型色覚と三色型色覚に分類される。二色型色覚はいわゆる色盲のことである。三色型色覚は、正常色覚と異常色覚に細分されるが、異常色覚はいわゆる色弱のことである。二色型色覚・三色型異常色覚は、第一種、第二種、第三種の異常色覚に細分される。
図１のｕ’ｖ’色度図上を用いて説明すると、例えば、第一種色覚異常者にとってはＲに近い混同色中心と呼ばれる定点Ｐを通る直線上の全ての色（例えば、Ｐ1，Ｐ2，Ｐ3）は同じ色、即ち混同色になる。
第二種色覚異常者にとってはＧに近い混同色中心の定点Ｄ、第三種色覚異常者にとってはＢに近い混同色中心の定点Ｔを通る直線上の全ての色は混同色となる。
【０００３】
色が少しでも見える場合には、見え難い色光の量を増強したり、逆に見え易い色光の量を減少することにより、色を見え易くすることができる。実際、色光の量を減少する原理を利用した色覚補正メガネが開発されている。
【発明の開示】
【発明が解決しようとする課題】
【０００４】
しかしながら、特に二色型色覚異常の場合、例えば、第一種、第二種色覚異常の場合は、赤、緑付近の波長の色は殆ど見ることができない。従って、このような色覚異常者が上記の色覚補正メガネをかけても、補正効果は得られない。
また、メガネを装着するとなると、人によってはわずらわしさを感じる。
【課題を解決するための手段】
【０００５】
それ故、本発明者は、上記課題を解決するために、第一種、第二種、第三種の色覚異常者に、見えない又は見え難い色を混同中心色とし、実際に見ている色がその混同中心色からどのくらい色差があるかをグレースケール画像または同系色のグラデーション画像として視覚的に教示することにより、色を見分け易くできることを見出したので、以下の発明を提案する。
請求項１の発明は、色覚異常者の混同し易い色又は混同色中心を混同中心色として設定し、混同度合いを、元画像の各画素の色と混同中心色との色差として、その色差に対応した色覚異常者の判別可能なグレースケール階調値に変換するグレースケール作成手順と、作成されたグレースケールに基づいてグレースケール画像または同系色のグラデーション画像を作成して表示する表示手順とを含むことを特徴とする色覚異常者への色存在の教示方法である。
【０００６】
請求項２の発明は、請求項１に記載した色覚異常者への色存在の教示方法において、グレースケール作成手順では、ＲＧＢ値を利用し、混同中心色としてＲ値，Ｇ値，Ｂ値のいずれかを設定し、その画素の、設定された混同中心色のＲＧＢ値を色差に対応したグレースケール階調値とすることを特徴とする教示方法である。
【０００７】
請求項３の発明は、請求項１に記載した色覚異常者への色存在の教示方法において、グレースケール作成手順では、色度図平面を利用し、混同中心色として混同色中心の定点Ｐ，Ｄ，Ｔのいずれかを設定し、設定された混同中心色から元画像の画素の色までの距離を色差とすることを特徴とする教示方法である。
【０００８】
請求項４の発明は、請求項３に記載した色覚異常者への色存在の教示方法において、グレースケール作成手順では、使用する機器に応じた色度図のＲＧＢの最大表示領域を基準とした階調値のグレースケールを作成することを特徴とする教示方法である。
【０００９】
請求項５の発明は、請求項１から４のいずれかに記載した色覚異常者への色存在の教示方法において、表示手順では、元画像とグレースケール画像またはグラデーション画像とを画素単位で所定のパターンに合成して合成画像として表示することを特徴とする教示方法である。
【００１０】
請求項６の発明は、請求項５に記載した色覚異常者への色存在の教示方法において、色覚正常者にとっての違和感を減少するために、最適化処理が施された合成画像として表示することを特徴とする教示方法である。
【００１１】
請求項７の発明は、請求項６に記載した色覚異常者への色存在の教示方法において、作成されたグレースケールを擬似階調表示技法で２値化し、いずれか一方の値の画素をその画素と同じ位置の元画像の画素と置き換えることにより、最適化処理が施された合成画像として表示することを特徴とする教示方法である。
【００１２】
請求項８の発明は、請求項１から７のいずれかに記載した色覚異常者への色存在の教示方法において、表示手順では、静止画として表示することを特徴とする教示方法である。
【００１３】
請求項９の発明は、請求項１から４のいずれかに記載した色覚異常者への色存在の教示方法において、表示手順では、ディスプレイを利用して、元画像の表示中にグレースケール画像または同系色のグラデーション画像をフラッシュ表示することを特徴とする教示方法である。
【００１４】
請求項１０の発明は、コンピュータに、請求項１から請求項９のいずれかに記載のグレースケール作成手順と表示手順とを実行させるための色覚異常者への色存在の教示プログラムである。
【００１５】
請求項１１の発明は、請求項１０に記載した色覚異常者への色存在の教示プログラムにおいて、コンピュータはカメラ付き携帯端末であり、さらにカメラを用いた撮影により元画像を取得する元画像取得手順を実行させることを特徴とする教示プログラムである。
【発明の効果】
【００１６】
本発明の色存在の教示方法を実施すれば、色覚異常者でも混同色を見分けることができる。
【発明を実施するための最良の形態】
【００１７】
元画像取得手順と、グレースケール作成手順と、表示手順とに分けて説明する。
元画像取得手順では、元画像はいわゆるプリント画像でもよいが、グレースケール作成手順と、表示手順とをコンピュータやプリンターを用いて実行する場合には、電子データとして取得することになる。
電子データとして取得する場合には、デジタルカメラで撮影したり、スキャナーでプリント画像を読取ったり、いわゆるお絵かきソフト等を用いてカラー画像を作成したりすることが考えられる。
【００１８】
以下、グレースケール作成手順について説明する。
Ａ．ＲＧＢ値を利用する場合（図２）
（１）混同中心色を設定する。
第一種色覚異常者用に混同中心色としてＲを設定し、第二種色覚異常者用は混同中心色としてＧを設定する。この実施の形態では、上記２つが混同中心色に設定されている。
なお、理論的には、混同中心色としてＲＧＢの３色中から任意の１〜２色を設定できる。
（２）規定値を設定する。
元画像のＲ値、Ｂ値、Ｇ値の一つでも下限から上限の規定値範囲以内か否かを判定し、否の場合には、対象外（黒色）とする。
上限規定値で選別することにより、白や黒に近い、色覚正常者でも見分けにくい色は対象外としている。規定値は実験により効果的な数値を設定する。
【００１９】
（３）赤系画素の抽出用の閾値を設定する。
測定画素ｎのＲ値（Ｒn）がＧ値（Ｇn）に対して指定した閾値（ｘ１）を超え、且つＢ値（Ｂｎ）に対して指定した閾値（ｙ１）を超える条件を具備するものを赤系画素として抽出する。
（４）緑系画素の抽出用の閾値を設定する。
測定画素ｎのＧ値（Ｇn）がＲ値（Ｒn）に対して指定した閾値（ｘ２）を超え、且つＢ値（Ｂn）に対して指定した閾値（ｙ２）を超える条件を具備するものを緑系画素として抽出する。
上記（３）、（４）で閾値を設定することにより、色覚特性に応じて見分け難い色のみを対象とできる。
【００２０】
上記（１）〜（４）は前処理に該当する。
例えば、コンピュータに実行させるプログラムを利用する場合には、色度図平面や混同中心色や規定値は規定データ項目として予め記憶させ、閾値はユーザーによる設定データ項目とすることができる。
【００２１】
（５）元画像から測定画素のＲＧＢ値を取得する。
即ち、元画像から測定画素のＲＧＢ値を取得する。
デジタルカメラ等を用いて元画像を取得した場合には、元画像のＲＧＢ値データには画像処理部により機器に応じてγ補正が施されている。従って、取得した元画像のＲＧＢ値からγ補正をはずしておく前処理をしておく必要がある。
以下、画素毎に測定し処理を行う。
（６）測定画素が規定値範囲内か否かを判定する。
ｎｏの場合は対象外とする。
（７）赤系画素を抽出する。
（８）緑系画素を抽出する。
（９）測定画素についてグレースケールの階調値Δnを求める。
赤系画素については、Ｒnを階調値とする。
緑系画素については、Ｇnを階調値とする。
（１０）元画像を構成する全ての画素について、上記（５）から（９）に従って処理する。上記の処理により赤系画素と緑系画素のグレースケールが作成され、全ての画素は上記グレースケールを構成する画素かまたは対象外の画素かに分類される。
【００２２】
Ｂ．色度図平面を利用する場合（図３）
（１）色度図平面を設定する。
色度図には、ｘｙ色度図やｕ’ｖ’色度図やａ＊ｂ＊色度図があるが、好ましくはｕ’ｖ’色度図を使用する。このｕ’ｖ’色度図が人間の色感覚に近いからである。
そして、ｕ’ｖ’色度図平面上にＲＧＢの最大表示領域を描く。
なお、使用するデバイスにより最大表示領域は変わる。例えば、同じ輝度の場合、写真等のプリントより、ディスプレイの表示画像の方が最大表示領域は狭く、更に、ディスプレイでも、ブラウン管や液晶のものは最大表示領域が狭い。図４のｕ’ｖ’色度図は、コンピュータのディスプレイのＲＧＢの最大表示領域を示す。
【００２３】
（２）混同色中心と呼ばれる定点Ｐ，Ｄ，Ｔから色覚異常の種類に応じて混同中心色を設定する。
第一種色覚異常者用は混同中心色が定点Ｐとなり、第二種色覚異常者用は混同中心色が定点Ｄとなり、第三種色覚異常者用は混同中心色が定点Ｔとなる。
（３）混同中心色に対する最大色差を求める。
混同中心色から上記（１）で描いた最大表示領域への最短距離（Ｌmin）と最長距離（Ｌmax）を求め、これを最大色差Δmax＝（Ｌmax−Ｌmin）と定義する。
第一種色覚異常者用には、ＰＧＢ空間で距離を求める。
Ｌmin：Ｐ−Ｒ間の距離
Ｌmax：Ｐ−Ｂ間の距離
第二種色覚異常者用には、ＲＤＢ空間で距離を求める。
Ｌmin：Ｄ−Ｇ間の距離
Ｌmax：Ｄ−Ｒ間の距離
第三種色覚異常者用には、ＲＧＴ空間で距離を求める。
Ｌmin：Ｔ−Ｂ間の距離
Ｌmax：Ｔ−Ｇ間の距離
【００２４】
上記（１）〜（３）は前処理に該当する。
例えば、コンピュータに実行させるプログラムを利用する場合には、色度図平面や混同中心色やそれらに基づいて算出される最大色差は規定データ項目として予め記憶させ、色覚異常の種類はユーザーによる設定データ項目とすることができる。
【００２５】
（４）元画像から画素単位でＲＧＢ値を取得する。
ＲＧＢ値を利用する場合と同様にして取得する。
【００２６】
（５）混同中心色に対する測定画素の色の色差を求める。
公知の変換行列に代入してＸＹＺ値に変換する。なお、ｘｙ色度図を使用する場合には、ＸＹＺ値を使用することは言うまでもない。
【数１】
2005346273.tif 000003
（なお、変換行列は使用する機器によって異なるため、機器に対応させる。）
次に、公知の変換式に代入してｕ’ｖ’値に変換する。なお、ｘｙ色度図を使用する場合には、ＸＹＺ値を使用する。
【数２】
2005346273.tif 000004
【００２７】
そして、第一種色覚異常者用は、定点Ｐから測定画素までの距離ｒを混同中心色に対するその測定画素の色の色差と定義し、距離を求める。図４に示すように、測定画素ｎの距離はｒnである。
なお、第三種色覚異常者用は測定画素と定点Ｔとの距離を、第二種色覚異常者用は測定画素と定点Ｄとの距離を、それぞれ色差と定義する。
【００２８】
（６）測定画素について最大表示領域を基準としたグレースケール階調値Δnを求める。
最大表示領域を基準とした階調値を求める場合、測定画素ｎの距離をｒnとすると、以下の通りになる。
（ａ）混同中心色から距離が近い色を白く表示する場合
Δn＝（Ｌmax−ｒn）／Δmax×２５５
（ｂ）混同中心色から距離が遠い色を白く表示する場合
Δn＝（（ｒn−Ｌmin）／Δmax×２５５
なお、上記式では、コンピュータのディスプレイ表示用に汎用されているフルカラーの階調（２５６）を採用している。
（７）元画像を構成する全ての画素について、上記（４）から（６）に従って処理する。上記の処理によりグレースケールが作成される。
【００２９】
次に、表示手順を説明する。
Ａ．コンピュータ等のディスプレイやプリンターを利用する場合
（１）グレースケールに基づいてグレースケール画像または同系色のグラデーション画像の静止画を作成して表示する。
グレースケール階調値（Ｘ）に対して、グレースケール画像を作成する場合のＲＧＢ階調値は（Ｘ，Ｘ，Ｘ）である。
同系色のグラデーション画像はグレースケールの階調値（Ｘ）を基に、見分けられる色に再配色したものである。黄、青、紫、青緑などの色からユーザーが区別し易い色を設定することができる。例えば、第二種色覚異常者であれば、青は見分けられることから、青を設定するばよい。
同系色のグラデーション画像を作成するには、グレースケール階調値を基礎数（Ｘ）として以下のように変換する。
黄に変換する場合  （Ｒ，Ｇ，Ｂ）＝（Ｘ，Ｘ，０）
青に変換する場合  （Ｒ，Ｇ，Ｂ）＝（０，０，Ｘ）
紫に変換する場合  （Ｒ，Ｇ，Ｂ）＝（Ｘ，０，Ｘ）
青緑に変換する場合  （Ｒ，Ｇ，Ｂ）＝（０，Ｘ，Ｘ）
【００３０】
ＲＧＢ値を利用してグレースケールを作成した場合には、２つのグレースケールを作成することができる。
従って、例えば、図５（１）に示す元画像（カラー画像）から、上記したＲＧＢ値を用いるグレースケール作成手順に従って抽出した赤系画素と緑系画素のそれぞれのグレースケールを作成し、赤系画素をグレースケール（無彩色）にし、緑系画素を青系に再配色し、対象外の色の画素を黒色にする、即ち色相を変換すると、図５（２）のようになる。
【００３１】
（２）元画像とグレースケール画像とから合成画像を作成し、この合成画像の静止画を表示する。
このとき、色覚正常者にとっての違和感を減少するために、最適化処理が施された合成画像として表示することが、場合により望ましい。例えば、危険を知らせる警告表示等は、色覚正常者と色覚異常者の両者にとって違和感の無い１つの画像を提供できることが望ましい。
最適化処理は、グレースケール作成手順と合成画像の作成手順のいずれにおいても施すことができる。
【００３２】
例えば、色度図平面を利用してグレースケールを作成する場合には、選択した画素の色と色度図平面上の設定された混同中心色としての混同色中心からの距離をｄとする。ｄを０〜２５５のグレースケールに変換するときに、使用するｄの変換関数ｆ（ｄ）は、線形でも一般に単調な非線形でもよい。さらに、ｄの変換関数は、対象の色の明るさYに応じて変化しても、即ち変換関数ｆ（ｄ，Ｙ）でもよい。なお、注意点として、変換関数の最小値と最大値は０と２５５である必要はなく、０≦ｍｉｎ［ｆ（ｄ）  ｏｒ  ｆ（ｄ，Ｙ）］＜ｍａｘ［ｆ（ｄ）  ｏｒ  ｆ（ｄ，Ｙ）］≦２５５であればよい。
その際、変換関数として実験により効果的なものを設定することにより最適化できる。
【００３３】
また、合成画像は、元画像とグレースケール画像またはグラデーション画像とを画素単位で所定のパターンに合成したものであるが、パターンとして実験により効果的なものを設定することにより最適化できる。このように最適化することで、色覚異常者が判別可能な画像を元画像に近づけ、色覚異常者にとっての違和感を減少できる。
具体的には以下のものが考えられる。
【００３４】
第1例は、作成したグレースケールを擬似階調表示技法で二値化し、一方の値とした画素をその画素と同じ位置の元画像の画素と置き換えていく。この方法で作成された合成画像は、重合せ合成画像と定義する。
グレースケールを擬似階調表示技法で二値化する際には、誤差拡散法やディザ法など種々の擬似階調表示技法を利用することができる。
図６は、（Ｄ）グレースケール画像に対して誤差拡散法で二値化処理を施して、全画素が黒色または白色のいずれかで構成された二色の画像を作成し、白色とした画素をその画素と同じ位置の元画像の画素と置き換えた例を示す。
【００３５】
以下に、誤算拡散法を利用した二値化処理の手順を説明する（図７）。
（１）作成したグレースケールから構成する画素を１つ選択する。
（２）選択画素の階調値を二値化処理する。
例えば、階調値が０〜１２７の場合は０に、１２８〜２５５の場合は２５５に変換する。
（３）変換時に発生した誤差を、既存の分配方法により周囲の画素に分配する。
（４）全画素の処理が終了したか否かを判断し、終了した場合には二値化処理を終了する。
【００３６】
第２例は、元画像（カラー画像）を構成する画素を市松模様パターンに従ってその画素と同じ位置のグレースケール画像の画素とに置き換えていく。この方法で作成された合成画像は、市松模様合成画像と定義する。
図８は、元画像を構成する画素を市松模様パターンに従ってその位置と同じ位置の（Ｄ）グレースケール画像の画素と置き換えた例を示す。
図９は、元画像を構成する画素を市松模様パターンに従ってその位置と同じ位置の（Ｄ）グレースケール画像または（Ｐ）グレースケール画像の画素と置き換えた例を示す。ここで、（Ｄ）グレースケール画像とは、第二種色覚異常者向きに定点Ｄを混同中心色として色度図平面を利用して作成したものを、（Ｐ）グレースケール画像とは、第一種色覚異常者向けに定点Ｐを混同中心色として色度図平面を利用して作成したものを、それぞれ意味する。
図９のように置き換えることで、第一種・第二種色覚異常者が共に認識可能な合成画像を作成できる。
【００３７】
図１０（１）は元画像（カラー画像）としての石原式色盲検査図であり、図１０（２）は第二種色覚異常者の見え方を示す例である。
図１１は、比較用に図１０（１）を元画像として作成した各種グレースケール画像を示す。
図１１（１）はｘｙ色度図平面を利用して作成した（Ｄ）グレースケール画像を、図１１（２）は図１１（１）にさらに誤差拡散法で二値化処理を施したグレー誤差拡散画像を、それぞれ示す。
図１１（３）はu’ｖ’色度図平面を利用して作成した（Ｄ）グレースケール画像を、図１１（４）は図１１（３）にさらに誤差拡散法で二値化処理を施したグレー誤差拡散画像を、それぞれ示す。
ここで、（Ｄ）グレースケール画像とは、第二種色覚異常者向けに定点Ｄを混同中心色として色度図平面を利用して作成したものを意味する。
図１１（５）はＲＧＢ値のＲ値を利用して作成した（Ｒ）グレースケール画像を示す。
【００３８】
図１２は、比較用に図１０（１）の元画像に対して上記手順に従って作成した合成画像である。図１２（１）は図１１（２）の重合せ合成画像を、図１２（２）は図１１（１）の市松模様合成画像を、図１２（３）は図１１（４）の重合せ合成画像を、図１２（４）は図１１（３）の市松模様合成画像を、それぞれ示す。
図１３は、比較用に図１０（１）の元画像に対して図９の手順に従って作成した合成画像である。図１３（１）はパターン１の合成画像を、図１３（２）はパターン２の合成画像を、図１３（３）はパターン３の合成画像を、それぞれ示す。
【００３９】
Ｂ．コンピュータ等のディスプレイを利用する場合
元画像の静止画とグラデーション画像の静止画を交互に切替表示する。
好ましくは、グラデーション画像としてグレースケール画像を交互に切替表示する。
高速で切替表示（即ち、フラッシュ表示）させると、残存効果により、識別不能色の場所を認識し易く、換言すれば感覚的によく見えることが試験により分かっている。例えば、図１０（１）の元画像の静止画と図１１（１）、（３）または（５）のグレースケール画像の静止画を高速で切替表示すると、白い部分が残像として残るので、第二種色覚異常者でも、赤い部分（即ち、数字の「２」が浮き上がって見えることになる。
【００４０】
上記の作成方法と表示方法は、コンピュータ、例えば携帯電話やＰＤＡやウエアブルＰＣ等を用いて実施できる。
以下、一例として、カメラ付き携帯電話１を用いた実施方法を説明する。
図１４に示すカメラ付き携帯電話１は、プログラムを読み出してデータ処理や制御を行う処理装置３と、プログラムやデータを記憶するメモリ（ＲＡＭ，ＲＯＭ）５と、タイマー７と、カウンタ８と、カメラ９と、操作部１１と、ディスプレイ１３と、電波を送受信するアンテナと、アンテナに接続され、無線通信を制御する送受信部と、スピーカと、マイクロホンと、スピーカおよびマイクロホンと接続された音声処理部と、画像処理部と、画像ファイル等を記憶する記憶部とでハードウエアが構成されている。なお、図１４では色覚異常者への色存在の教示プログラム（以下、「教示プログラム」と略記。）を実行するのに必要な最低限のハードウエア構成のみが示されていることは理解されたい。
この教示プログラムは、カメラ付き携帯電話１に元画像取得手順と、グレースケール作成手順と、表示手順とを実行させるためのものであり、図示しない記憶部に記憶されている。教示プログラムは、プログラムを記録したコンピュータ読取り可能な記録媒体（例えば、ＣＤ−ＲＯＭ）から取得しても、通信網を利用して取得してもよい。
上記の構成のハードウエアを用いて教示プログラムを実行すると、色覚異常者への色存在の教示装置が実現される。
【００４１】
この教示プログラムの一例として、（Ｄ）グレースケール画像を作成し、図１０（１）の元画像の静止画と図１１（１）、（３）または（５）のグレースケール画像の静止画をフラッシュ表示する内容のものを説明する。
この場合には、グレースケール作成用に、メモリ５には、色度図平面を利用する場合には、使用する色度図平面、携帯電話の種類に応じたＲＧＢの最大表示領域、混同中心色（Ｐ、ＤまたはＴ）、変換式等のデータが記憶されている。また、ＲＧＢ値（フルカラー）を利用する方法を利用する場合には、混同中心色（ＲＧＢ中の１または２色）、規定値、規定値の判定式、閾値の判定式等のデータが固定的に設定されている。閾値等はユーザーの設定項目にすることも可能である。
また、フラッシュ表示用に、処理装置３がタイマー７からの情報に基づいて元画像とグレースケール画像を高速で切替表示するため、各画像の表示時間とグレースケール画像の表示回数、即ちフラッシュ表示回数のデータが記憶されているが、フラッシュ表示回数もユーザー設定項目にすることが可能である。
【００４２】
教示プログラムを起動させると処理装置３が図１５に示す手順に従って処理を進める。
なお、ユーザー設定項目はディスプレイ１３上にボタン表示されて、ユーザーが任意に設定可能に構成されている。
元画像取得手順では、カメラ９のシャッターが押されると、カメラ９で撮影された画像を元画像としてメモリ５上に取り込む（ステップＳ１）。
グレースケール作成手順では、処理装置３が、メモリ５上に取り込まれた元画像から上記したいずれかの作成方法に従ってグレースケールを作成する（ステップＳ２）。
表示手順では、処理装置３がグレースケールからグレースケール画像の静止画を作成し、メモリ５上に記憶する（ステップＳ３）。
そして、フラッシュ表示を開始する。先ず元画像としての撮影画像の静止画を表示する（ステップＳ４）と共に、タイマー７をセットする（ステップＳ５）。指定時間（１／３０秒以下を想定）経過後グレースケール画像に切替表示する（ステップＳ６）と共に、タイマー７をリセットする（ステップＳ７）。そして、指定時間経過後元画像の静止画を再び切替表示する（ステップＳ８）。そして、グレースケール画像の表示が終了する毎にカウンタ８により１つずつカウントアップしていく（ステップＳ９）。
カウント数が予め設定された切替回表示回数より小さいときは、ステップＳ５に戻りフラッシュ表示を続け、以上のときは元画像の静止画を表示したまま処理を終了する（ステップＳ１０）。
【００４３】
以上、本発明の実施の形態について詳述してきたが、具体的構成は、この実施の形態に限られるものではなく、本発明の要旨を変更しない範囲における設計の変更等があっても本発明に含まれる。
例えば、元画像取得手順とグレースケール作成手順と表示手順は、必ずしも同一の機器より実行しなければならないわけではない。
また、カメラにより取得した画像からカーソル操作等により一部のみを選択して元画像とできる構成にすることも考えられる。
【産業上の利用可能性】
【００４４】
本発明の色覚異常者への色存在の教示方法は、例えば携帯電話等の機器を利用して実行できるので、色覚異常者が周囲の人間に気づかれずに色を見分けることができる。現代社会では色の組合せにより種々の情報を示すことが多いが、携帯電話等のような機器を使用して実行すれば、色覚異常者が周囲への気兼ねなくしかも気軽に利用できる有用な色覚補助ツールになるものと期待される。
【図面の簡単な説明】
【００４５】
【図１】ｕ’ｖ’色度図平面である。
【図２】ＲＧＢ値を利用するグレースケール作成手順のフローチャートである。
【図３】色度図平面を利用するグレースケール作成手順のフローチャートである。
【図４】ｕ’ｖ’色度図平面を利用するグレースケール作成手順の説明図である。
【図５】元画像とその色相変換画像を示す。
【図６】重合せ合成画像の作成方法の説明図である。
【図７】誤差拡散法を利用した二値化処理のフローチャートである。
【図８】第１の市松模様合成画像の作成方法の説明図である。
【図９】第２の市松模様合成画像の作成方法の説明図である。
【図１０】図１０（１）は元画像としての石原式色盲検査図であり、図１０（２）は第二種色覚異常者の見え方を示す例である。
【図１１】図１０（１）を元画像として作成した各種グレースケール画像を示す。
【図１２】図６と図８の方法により図１０（１）を元画像として作成した各種合成画像を示す。
【図１３】図９の方法により図１０（１）を元画像として作成した各種合成画像を示す。
【図１４】カメラ付き携帯電話のハードウエア構成図である。
【図１５】教示プログラムの実行フローチャートである。
【符号の説明】
【００４６】
１    カメラ付き携帯電話
３    処理装置              ５    メモリ
７    タイマー              ８    カウンタ
９    カメラ              １３    ディスプレイ
【図１】
2005346273.tif 000005
【図２】
2005346273.tif 000006
【図３】
2005346273.tif 000007
【図４】
2005346273.tif 000008
【図５】
2005346273.tif 000009
【図６】
2005346273.tif 000010
【図７】
2005346273.tif 000011
【図８】
2005346273.tif 000012
【図９】
2005346273.tif 000013
【図１０】
2005346273.tif 000014
【図１１】
2005346273.tif 000015
【図１２】
2005346273.tif 000016
【図１３】
2005346273.tif 000017
【図１４】
2005346273.tif 000018
【図１５】
2005346273.tif 000019